Podtech/llm-jp-corpus-v4-ja_patent huggingface dataset:
(57)【要約】【課題】傘を小さい突起物に吊り下げると一般的に柄の部分は円筒形のため滑りやすく落ちていた。また、夜間に傘を差して歩く場合、車輌等からの視認性が悪く不安全な状態にある。また、類似の傘が多数ある場合、目的の傘を探すのに探しづらい場合がある。【解決手段】柄のＵ字部分一番下の部材個所に穴を設け、この穴にストラップ等の紐を通し取り付けすることにより、ストラップで小さい突起物に吊り下げることが出来る。これにより傘が滑り落ちるのを防止できる。またストラップに蛍光塗料を塗布または含有させることにより、夜間において傘を差して通行する場合、車輌の光によりストラップ自体が光を反射して自分の存在をアピールでき、安全に通行できる。またストラップの種類を多くすることにより、類似の傘と区別がつき判別がスムーズに出来る。【選択図】  図１
2004321643.tif 000002
【特許請求の範囲】
【請求項１】
柄に穴を設けストラップを付けたことを特徴とする傘の柄。
【請求項２】
Ｕ字形柄の中央下部に穴を開けることを特徴とする請求項１記載の傘の柄。
【請求項３】
柄に穴を設けこの穴にストラップの紐を通し取り付けすることを特徴とする請求項１又は２記載の傘の柄。
【請求項４】
蛍光色を発するストラップであることを特徴とする請求項１ないし請求項３のいずれかの項に記載の傘の柄。
【請求項５】
ストラップに蛍光塗料を塗布又は含有したことを特徴とする請求項４記載の傘の柄。
【発明の詳細な説明】
【０００１】
【発明が属する技術分野】
本発明は、傘の柄の形状に関する。
【０００２】
【従来の技術】
従来の傘の柄の形状は図２のａに示すように一般的には円筒をＵ字形に曲げたのみ、の状態で使用している。
【０００３】
【発明が解決しようとする課題】
しかしながら、以上の従来技術によれば、傘を吊す場合小さい突起物に吊り下げると一般的に柄の部分は円筒形のため滑りやすく落ちていた。そこで、この発明は、柄の部分に穴を設けストラップ等の紐を通し、ストラップで突起物に傘を吊り下げることを提供することを課題とする。
【０００４】
【課題を解決するための手段】
以上の課題を解決するために、請求項１の発明は、柄に穴を設けストラップ等を付けたことを特徴とする傘の柄である。また、請求項２の本発明の実施態様は、柄のＵ字形の一番低い所の部材の中央部に穴を設け、この穴にストラップ等の紐を通し取り付けすることを特徴とする傘の柄である。さらに請求項３の本発明の実施様態は設けた穴にストラップの紐を通すことを特徴とする傘の柄である。請求項４の本発明の実施様態は蛍光色を発するストラップであることを特徴とする傘の柄である。そして請求項５の本発明の実施形態は蛍光色を塗布又は含有したストラップであることを特徴とする傘の柄である。
【０００５】
【発明の実施の形態】
この発明の一実施形態を、図１に示す。傘の柄のＵ字形底の中央部ａにストラップ等の紐を通す穴が設けられている。この穴にストラップｂを取り付けるものである。更にこのストラップには蛍光塗料を塗布する。
【０００６】
【実施例】
この実施形態によれば、ストラップ等を小さい突起物に吊り下げた場合に傘の滑り落ちを防止することが出来る。
【０００７】
【他の実施例】
図１の実施形態で穴のサイズを変えることにより、各種のストラップ等を取り付けが出来る。また穴は複数設けても良い。ストラップに蛍光塗料を塗布又は含有する。
【０００８】
【発明の効果】
以上説明したように、この発明によれば、柄に穴を設けストラップ等を取り付けたことにより細い突起物に傘を吊り下げることが出来る。これにより傘のスベリ落ちを防止することが出来る。また、ストラップの種類により他の傘と識別できる効果がある。インテリアとしての効果もある。その他に夜間は反射する蛍光物質を塗布したストラップ等を吊り下げることにより車輌等に存在を認識させる効果があり安全面にも有効である。ストラップの種類により類似の絵柄の傘と識別できる。
【図面の簡単な説明】
【図１】Ｕ字型柄の中央部に穴を開けストラップを取り付けた平面図である。
【図２】従来の一般のＵ字型の柄の平面図である。
【符号の説明】
ａ  穴
ｂ  ストラップ
【図１】
2004321643.tif 000003
【図２】
2004321643.tif 000004
(57)【要約】【課題】簡便な方法で、押し寿司のネタのうまみを引き出せ、しかも、押している状態で切る事が出来るような構造を持つプラスチック製の押し寿司用ブロック体を提供すること。【解決手段】本発明のブロック体を用いて実施した福井県地方でよく作られる「焼き鯖」の押し寿司では、焼き鯖のその香ばしい焼き上がりを引き出せた。消費者テストを実施し、本発明のブロック体を使用した焼き鯖押し寿司は、均等にカットできており見栄えもよく、また、美味しいとの評価が得られ、簡便でコストのかからないプラスチック製の押し寿司用ブロック体を提供できた。【特許請求の範囲】
【請求項１】
押し寿司を作る時に用いるプラスチック製ブロック体であり、そのブロック体は本体（Ａ）、押し蓋（Ｂ）、及び底蓋（Ｃ）の三つのパーツからなり、（Ａ）と（Ｃ）にはスリットを設けることで、作られた押し寿司を切断することが出来るようにした構造を有することを特徴とする押し寿司用ブロック体。
【発明の詳細な説明】
【０００１】
【発明の属する技術分野】
本発明は、押し寿司を作る時の押し型に関するものである。
【０００２】
【従来の技術】
従来から、押し寿司を作る時には、一般的には押し型が使われてきた。しかし、寿司を押している状態で切る事は出来なかった。更に、寿司に合わせられるネタは魚類を加工したものが多いが、押している状態で使われているネタの余分な脂分を抜いて、ネタの生臭さを取り除き、ネタのうまみを引き出すことが出来なかった。
また、小規模な押し寿司加工業者では、特許文献１，２で提案されているような押し寿司の自動化装置を導入するほどのコストをかける事は出来ず、より簡便な方法が求められていた。
【０００３】
【特許文献１】
特開平０７−０００１２９号公報
【特許文献２】
特開平０７−１５５１２３号公報
【０００４】
【発明が解決しようとする課題】
本発明は、コストの負担が少ない簡便な方法で、押し寿司のネタのうまみを引き出せ、しかも、押している状態で切る事が出来るような構造を持つプラスチック製の押し寿司用ブロック体を提供することである。
【０００５】
【課題を解決するための手段】
本発明は、押し寿司を作る時に用いるプラスチック製ブロック体であり、そのブロック体は本体（Ａ）、押し蓋（Ｂ）、及び底蓋（Ｃ）の三つのパーツからなり、（Ａ）と（Ｃ）にはスリットを設けることで、作られた押し寿司を切断することが出来るようにした構造を有することを特徴とする押し寿司用ブロック体、である。
【０００６】
【発明の実施の形態】
図１で押し寿司用ブロック体を説明する。
図１は押し寿司用ブロック体の三つのパーツの組み立てイメージ図であり、本体（Ａ）の底部に底蓋（Ｃ）をセットし、まずそこへネタを入れ、次に寿司飯を入れ、押し蓋（Ｂ）で押して、押し寿司としての形を整える。
この時に（Ｂ）で押し付けられることで、入れたネタの余分な脂分が、（Ｃ）のスリット部から外に出ることで、ネタのうまみが引き出せることとなる。
その後、（Ｂ）を取り外し、スリット部を設けてある（Ａ）及び（Ｃ）のスリット部に沿って包丁でカットしてゆく。プラスチック製であるために加工が容易であり、スリットは必要な間隔に入れることが出来るが、一般的には等間隔が良い。また、スリット部は（Ａ）と（Ｃ）との位置が合うように設ける必要がある。
【０００７】
【実施例】
一例として、福井県地方でよく作られる「焼き鯖」の押し寿司を、本発明のブロック体を使い作った。焼き鯖はその香ばしい焼き上がりを引き出すには、焼き鯖の余分な脂分を落とし、生臭さを取る必要があるが、従来の木製の押し寿司型と本発明のブロック体とで実施し、消費者テストを実施したところ、本発明のブロック体を使用した焼き鯖押し寿司は、均等にカットできており見栄えもよく、また、美味しいとの評価を得た。
【０００８】
【発明の効果】
本発明のブロック体を用いて、見栄えよく均等なカットが出来、しかも、ネタの余分な脂分が（Ｃ）のスリット部から外に出ることで、ネタのうまみが引き出せることから、簡便でコストのかからないプラスチック製の押し寿司用ブロック体を提供できた。
【図面の簡単な説明】
【図１】押し寿司用ブロック体の三つのパーツの組み立てイメージ図
【符号の説明】
（Ａ）：ブロック本体
（Ｂ）：押し蓋
（Ｃ）：底蓋
（Ｄ）：スリット部
【図１】
2004321024.tif 000002
(57)【要約】【課題】もろみ酢の味がまろやかになり酸味も軽減され、かつ血行も促進され、さらにより天然の状態のもろみ酢の健康飲料を提供すること。【解決手段】もろみ酢に、もろみ酢の製造工程中に産生されるアルコールとアルコールに溶けている成分及び、又はアルコールとアルコールに溶けている成分をさらに貯蔵熟成して得たものを添加したことからなる。さらに、もろみ酢に、もろみ酢の製造工程中に産生されるアルコールとアルコールに溶けている成分を低温減圧濃縮して得たもの及び、又はアルコールとアルコールに溶けている成分をさらに貯蔵熟成し、さらに低温減圧濃縮して得たものを添加したことからなる。【選択図】  なし【特許請求の範囲】
【請求項１】
もろみ酢に、もろみ酢の製造工程中に産生されるアルコールとアルコールに溶けている成分及び、又はアルコールとアルコールに溶けている成分をさらに貯蔵熟成して得たものを添加したことからなることを特徴とする健康飲料。
【請求項２】
もろみ酢に、もろみ酢の製造工程中に産生されるアルコールとアルコールに溶けている成分を低温減圧濃縮して得たもの及び、又はアルコールとアルコールに溶けている成分をさらに貯蔵熟成し、さらに低温減圧濃縮して得たものを添加したことからなることを特徴とする健康飲料。
【請求項３】
もろみ酢に蒸留酒を添加したことからなることを特徴とする健康飲料。
【発明の詳細な説明】
【０００１】
【発明の属する技術分野】
本発明は、もろみ酢にアルコール成分を添加した健康飲料に関する。
【０００２】
【従来の技術】
従来より、酢が疲労回復効果やカルシウム吸収効果又は防腐、静菌効果を保持することは古くから認識されている。又泡盛醸造に際して、黒麹と米麹及び酵母による発酵蒸留後のもろみを圧搾してなるもろみ酢はクエン酸含有比率が高く、アミノ酸量、ミネラル量も多量に含有するため一般的に広く使用されている。
【０００３】
しかし、もろみ酢は強い酸性と混合されて異様な味を醸成し、しかも酢酸臭に加えてもろみ特有の臭気があり、非常に飲みにくいのが実情である。
このため黒糖やパッションフルーツの搾汁などが添加され味が改良されている（例えば、特許文献１参照。）。
【０００４】
【特許文献１】
特開２００３−１０２４５１号公報（発明の詳細な説明［０００６］）
【０００５】
【発明が解決しようとする課題】
しかし、黒糖やパッションフルーツの搾汁を添加することは天然の状態とはかけ離れているものである。
そのため、本発明者等は鋭意研究の結果、より天然の状態で味を改良するため、もろみ酢の製造工程中に得られるアルコールとアルコールに溶けている成分を添加することを考えた。このことによりもろみ酢はより天然の状態となり、さらにアルコールとアルコールに溶けている成分の効果によりもろみ酢の味がまろやかになり酸味も軽減され、かつ血行も促進される健康飲料の提供をすることが出来ることを発見した。
【０００６】
そこで、本発明は、もろみ酢の味がまろやかになり酸味も軽減され、かつ血行も促進され、さらにより天然の状態のもろみ酢の健康飲料を提供することを目的とする。
【０００７】
【課題を解決するための手段】
前記目的を達成するため、本発明の健康飲料は、
もろみ酢に、もろみ酢の製造工程中に産生されるアルコールとアルコールに溶けている成分及び／又はアルコールとアルコールに溶けている成分をさらに貯蔵熟成して得たものを添加したことからなる。
【０００８】
さらに、本発明の健康飲料は、
もろみ酢に、もろみ酢の製造工程中に産生されるアルコールとアルコールに溶けている成分を低温減圧濃縮して得たもの及び、又はアルコールとアルコールに溶けている成分をさらに貯蔵熟成し、さらに低温減圧濃縮して得たものを添加したことからなる。
【０００９】
もろみ酢は原料を米とし、その製造工程中において、クエン酸等の成分とアルコールとアルコールに溶けている成分に別れ、クエン酸等の成分がその後さらに加工されもろみ酢になり、アルコールとアルコールに溶けている成分及び、又はアルコールとアルコールに溶けている成分をさらに貯蔵熟成して得たものがその後泡盛となることがよく知られている。この泡盛をさらにもろみ酢に添加し、混合するということは今だかって考えられたことがない。両者ともに同じ原料から製造されるので、前記もろみ酢の製造工程中に産生されるアルコールとアルコールに溶けている成分及び、又はアルコールとアルコールに溶けている成分をさらに貯蔵熟成して得たものをもろみ酢に加えることはもろみ酢がより天然の状態であることを意味し、さらに前記もろみ酢の製造工程中に産生されるアルコールとアルコールに溶けている成分及び、又はアルコールとアルコールに溶けている成分をさらに貯蔵熟成して得たものを加えることで血行促進の効果を得ることが出来るし、もろみ酢の味がまろやかになり、酸味も軽減され、したがって非常に飲みやすくなるものである。
【００１０】
アルコールとアルコールに溶けている成分は貯蔵熟成期間が長いほど風味が良くなるものである。さらに、もろみ酢の製造工程中に産生されるアルコールとアルコールに溶けている成分を低温減圧濃縮すると、又アルコールとアルコールに溶けている成分をさらに貯蔵熟成し、さらに低温減圧濃縮すると、アルコールに溶けている成分が濃縮されるのでうまみ等の風味をさらに良くすることが期待できるし、アルコールに弱い人には好適なもろみ酢の健康飲料となる。
【００１１】
血行促進を目的とすることに重点を置いた場合には泡盛にかえて、蒸留酒である焼酎、ウオッカ、ブランディ、紹興酒等を添加しても良い。
【００１２】
以下配合例、及び試験例について記述する。
【００１３】
配合例１
もろみ酢９９リットルに対し、泡盛（古酒３０年もの）１リットルを添加し、攪拌して得る。
【００１４】
配合例２
もろみ酢９９リットルに対し、泡盛（古酒３０年もの）１０リットルを１リットルまで低温減圧濃縮した液を添加し、攪拌して得る。
【００１５】
試験例１
飲料嗜好テストを行い、２５〜３５歳の女性を対象にした。結果は以下の通りである。
2004321035.tif 000002
以上の結果から、「うまみ・こく」、「臭み」、「酸味」は泡盛の含有量に依存することが顕著にわかる。「うまみ・こく」に関しては、泡盛のアルコールに溶け込んでいる成分が「おいしさ」を向上させている。「臭み」に関しても、アルコール及びアルコールに溶け込んでいる成分により、もろみ酢特有の「臭み」が軽減されている。「酸味」に関しても同様である。
(57)【要約】【課題】足枕を固着させたスリッパとして提供する。【解決手段】弾性体（ゴム、フッ素樹脂等）により成る外径５センチ、長さ７センチ程度のチュウブ（２）をスリッパ（１）に固着させたスリッパとする。【選択図】      図１
2004321730.tif 000002
【特許請求の範囲】
【請求項１】
弾性体（ゴム、フッ素樹脂等）により成る外径５センチ、長さ７センチ程度のチュウブ（２）を土踏まず付近の底面に固着する足枕付スリッパ（１）。
【請求項２】
スリッパの表に広さ数センチ平方、深さ１センチ弱のポケット（４）とこれを覆う穴明き蓋（５）を設ける請求項１の足枕付スリッパ。
【発明の詳細な説明】
【０００１】
【発明の属する技術分野】
この発明は、スリッパに関するものである。
【０００２】
【従来の技術】
従来、スリッパは底部が平面であった。
【０００３】
【発明が解決しようとする課題】
本発明は、スリッパを履いたままで長時間座っていてもリラックスできて疲れないものとして提供するものである。
【０００４】
【課題を解決するための手段】
チュウブ（２）をスリッパ（１）の裏に固着させて足枕付スリッパとする。
【０００５】
【発明の実施の形態】
以下、本発明の実施の形態について説明する。
【０００６】弾性体（ゴム、フッ素樹脂等）により成る外径５センチ、長さ７センチ程度のチュウブ（２）をスリッパ（１）に固着させる。
【０００７】スリッパ（１）の土踏まず付近に広さ数センチ平方、深さ１センチ弱のポケット（３）と、これを覆う穴（４）あき蓋（５）を設ける。
【０００８】
【形態の特長】
【０００９】足枕が常に足の下にあるので極めて好都合である。
【００１０】履いたままでも若干の移動が可能である。
【００１１】足枕（１）本体が弾性体（ゴム、フッ素樹脂等）で出来ているため滑り止めになっている。
【００１２】床面の多少の凹凸でもチュウブ（２）の空間が柔軟に吸収して足裏に均等の圧を伝えることができる。
【００１３】
【実施例】
長時間同じ位置に座るとき用のスリッパとして使用する。
【００１４】
【発明の効果】
【００１５】腰掛けたとき爪先が上向きになるためふくらはぎの緊張がほぐれて楽である。
【００１６】土踏まずに適度の圧を加えたり、足首の前後運動が自由にできるので疲れがとれやすい。
【００１７】又、尻にかかる重心点が分散化するため長時間椅子に座っていても疲れない。
【００１８】ポケット（４）に温熱材を簡単に挿入でき、頭寒足熱で脳の活性化をはかり能率を上げることができる。
【００１９】
【図面の簡単な説明】
【図１】本発明の、ポケット（３）の蓋（５）を開いた状態を示す枕付スリッパの斜視図である。
【図２】本発明の、足枕付スリッパ（１）の背面斜視図である。
【図３】本発明の、足枕付スリッパ（１）の使用状態を示す斜視図である。
【符号の説明】
１．スリッパ
２．チュウブ
３．ポケット
４．穴
５．蓋
【図１】
2004321730.tif 000003
【図２】
2004321730.tif 000004
【図３】
2004321730.tif 000005
(57)【要約】【課題】（１）ペットボトルに取り付けた（２）柄をにぎり、ペットボトルを殴打する。【解決手段】（１）ペットボトルの飲み口に（２）柄を取り付けたスポーツ観戦等応援玩具である。【選択図】            図１
2004321729.tif 000002
【特許請求の範囲】
【請求項１】
（１）ペットボトルの飲み口に（２）柄を取り付た、スポーツ観戦等応援玩具である。
【発明の詳細な説明】
【０００１】
【発明の属する技術分野】
この発明は、（１）ペットボトルに取り付けた（２）柄を握り、ペットボトルを殴打することにより音を発し、スポーツ観戦等の応援などに使用する。
【０００２】
【従来の技術】
近年、スポーツ観戦等に応援具としてメガホンを持っていく人が多く、またペットボトルを携帯していることもある。
【０００３】
【問題を解決しようとする課題】
これには、次のような問題点があった。
（イ）持ち運びにかさばる。
（ロ）メガホン等を持ち歩くことは、ファッション性にかける面がある。
スーツなどに似合わない。
本発明はこれらの欠点を解決するためになされるものである。
【０００４】
【課題を解決するための手段】
（１）ペットボトルの飲み口に（２）柄を取り付ける。
本発明は、以上の構成からなるスポーツ観戦等応援玩具である。
【０００５】
【発明の実施の形態】
本発明の実施の形態について説明する。
（イ）（１）ペットボトルを（２）柄に固定する。
本発明は以上のような構成で、これを使用するときは、（１）ペットボトルと（２）柄を固定し、殴打する事により音を発生させ使用する。
また、他の実施例として、（イ）に（３）布を覆いファッション性や宣伝効果を上げる。
【０００６】
【発明の効果】
従来のメガホン等は、形状が大きく、持ち運びに不便でありまた、ファッション性に欠ける点があったが、この玩具は持ち運びに優れ、ペットボトルをその場で再利用ができるメリットがある。ペットボトルについては、スポーツ観戦等に形態していることが多く、安易に手に入る。
【図面の簡単な説明】
【図１】本発明の斜視図
【図２】その他の実施例
【符号の説明】
（１）ペットボトル
（２）柄
（３）布
【図１】
2004321729.tif 000003
【図２】
2004321729.tif 000004
(57)【要約】      （修正有）【課題】収納したものが、収納棚を開けて探さなくてもわかりやすく、部屋に置いても見栄えを悪くすることのない収納棚を提供する。【解決手段】収納棚にマジックミラーを使用し、内側に照明を設置する。照明をつけると、外側からマジックミラーを通して中の物が透けて見える。照明を消した際には、外側から収納物が見えることはない。【選択図】図３
2004321750.tif 000002
【特許請求の範囲】
【請求項１】
マジックミラーを使用するとともに内部に照明を設置し、照明をつけると棚の内部が透けて、収納物が見やすくなり、照明を消すと棚の内部が透けなくなることを特徴とする収納棚。
【発明の詳細な説明】
【０００１】
【発明の属する技術分野】
本発明は、収納棚に関するものである。
【０００２】
【従来の技術】
従来の収納棚は、収納物を取り出す際に、どこにしまったのかわからなくなり、探すのに時間がかかってしまうことがあった。半透明もしくは透明の収納棚は、収納物が探しやすいが、いつでも外側から収納物が見えてしまうのはインテリア性に欠ける。
【０００３】
【発明が解決しようとする課題】
収納物の場所がわかりやすく、必要な場合にのみ外側から収納物が透けて見え、インテリア性のある収納棚を提供することを目的とする。
【０００４】
【課題を解決するための手段】
請求項１記載の収納棚は、マジックミラーを使用し、照明を備えることを特徴とする。請求項１記載の収納棚によれば、照明をつけると、マジックミラーを通して外からでも収納棚の内側が見え、探し物がどこにあるのかわかりやすい。
【０００５】
【発明の実施の形態】
本発明は、マジックミラーを使用し、照明を設けた収納棚である。
【０００６】
上記照明を設置する位置は、収納棚内の天井面と背面とし、蛍光灯を使用する。
【０００７】
上記マジックミラーを使用するのは、収納棚の正面の扉とその両側面のみとする。
【０００８】
【実施例】
本発明の実施例について、図面を参照して説明する。
【０００９】
図１において、収納棚の扉１と右側面２、左側面３はマジックミラーからなる。取手５は扉１の適当な場所に付ける。スイッチ４は収納棚内の照明を操作するため設置される。また、図２において、収納棚内の照明を示す。天井照明６は収納棚内部の天井に、コーナー照明７は四隅に立てる形で、また、背面照明８は収納棚の背面下部で仕切り板の下に設置する。
【００１０】
スイッチ４を入れると、天井照明６、コーナー照明７、背面照明８がつく。この時の収納棚本体１２内の明るさは、収納棚本体１２の置いてある場所より明るくなるようにする。扉１、右側面２、左側面３はマジックミラーからなるため、明るい側を見る時は透けて見え、明るい側からは反射のため見えない。スイッチ４をつけて収納棚本体１２内を明るくすると、中の収納物が外側から扉１、右側面２、左側面３のマジックミラーを通して透けて見える。スイッチ４を消して暗くすると、中の収納物は透けて見えなくなる。
【００１１】
【発明の効果】
本発明は、以上説明したような形態で実施され、以下に記載されるような効果を奏する。
【００１２】
請求項１記載の収納棚によると、マジックミラーを使用することで、普段は外側から透けて見えることがない収納棚の内側が、照明をつけると透けて見えるようになる。収納物を探すのに、収納物を開けなくても場所を把握することができる。また、照明を消すと、収納棚の内側は暗くなるので外側から見えることはない。よって、普段部屋に置く際にも内側が見えて困るということは起こらない。
【００１３】
【図面の簡単な説明】
【図１】本発明の加湿器実施例を示す側面図である。
【図２】本発明の加湿器実施例を示す側面図である。
【図３】本発明の加湿器実施例を示す正面図である。
【符号の説明】
１      扉
２      右側面
３      左側面
４      スイッチ
５      取手
６      天井照明
７      コーナー照明
８      背面照明
９      ハンガー掛け
１０    背面
１１    仕切り板
１２    収納棚本体
【図１】
2004321750.tif 000003
【図２】
2004321750.tif 000004
【図３】
2004321750.tif 000005
(57)【要約】【課題】寝具粘調液体封入マットの重量軽減、寝返りを打ったときの波打ち時間の短縮、事故で破損した箇所の修理の簡素か、床ずれ防止を備えた、快適マットの開発。【解決手段】液体封入容器と気体封入容器を細分化することで、重量が軽くなり液体の波打ち現象を止めることができ、部分位置の圧力を変え、堅さを変えることで床ずれを予防できる。容器を細分化することで、事故で破損した箇所の修理が容易になった【選択図】    図６
2004321742.tif 000002
【特許請求の範囲】
【請求項１】
全体の重量を軽くするために、粘調液体を入れる複数容器と気体を入れる複数容器を備え、各々が独立した容器に造られていて、液体量や気体圧力の加減で、マットの部分位置の堅さを調整できる構造で、注入口は液体や気体が逆流しないように、それぞれ逆流防止構造を備えていて、枕位置は頭が沈み過ぎない様に、独立した気体を入れる容器を造くり、気体圧力の加減で適度な堅さに調整できる様にした、三種類の容器を外ケースに収納した構造の寝具粘調液体封入マット。
【請求項２】
枕位置を粘調液体を入れる容器構造にした、請求項１の寝具粘調液体封入マット。
【発明の詳細な説明】
【０００１】
【発明の属する技術分野】
本発明は、現在使用されている寝具液体マットより、重量を軽く持ち運びが楽で、マットの部分位置の堅さが調整でき、従来品より寝心地が良く快適に安眠できる寝具マットに関する。
【０００２】
【従来の技術】
現在使用されている就寝液体用マットは、全体を一体の袋構造に造り液体を注入しているので、重量が重く一度設置すると位置変更が難しいし、間違って穴を開けると、液体の流出を止めるのが難しく、修理にも時間が掛かる。
更に寝ていて寝返りを打つと、全体の液体が波立ち、長時間液体の動きが止まらないので、船酔いの状態になります。
【０００３】
【発明が解決しょうとする課題】
液体マットとしての本来の寝心地を変えないで、液体マット全体の重量を軽くして、設置位置変更が簡単にでき、事故による破損箇所の修理の簡素か、寝返りを打ったときの船酔状態を防ぎ、快適に安眠できる寝具マットの開発。
【０００４】
【課題を解決するための手段】
全体の重量を軽くするため、独立した数個の液体容器と独立した数個の気体容器を組み合わせて造り、各々の容器に液体と気体を封入します、更に枕部分も独立した容器とし、三種類の容器を一体の構造に造り上げた寝具粘調液体封入マットで、容器を細分化して造ることで、マットの部分位置の堅さを液体量や気体圧力で自由に設定でき、床ずれの防止にもなり、気体容器を組み入れることで、寝返りによる液体の長時間揺れを防ぐことができ、船酔い状態も軽減できるし、容器が細分化されているので、万一破損しても修理が簡単に出来ます。
【０００５】
【発明の実施の形態】
本発明寝具粘調液体封入マットは、液体容器・気体容器・枕用容器および全体を収納する容器を、ナイロンとポリエーテル系ラミネートフイルムを張り合わせた素材で造り、合わせ目全てを高周波溶接接着方法を取り、科学的接着剤は一切使用し無い環境に優しく、粘調液体には毒性の無いゴーセノールを使用しています。
図１の方法は、外ケースを外した内部の液体容器と気体容器をマットの長形方向に交互に並べ組み込んだ正面図、寝具粘調液体封入マット。
図２の方法は、外ケースを外した内部の液体容器と気体容器をマットの短形方向に交互に並べ組み込んだ正面図、寝具粘調液体封入マット。
図３・図４・図５は、液体容器と気体容器の組み立例の構造断面図で、いずれも内部外側に形崩れや片寄り防止用に、硬質のウレタン・スポンジを組み込んで有ります。
【０００６】
【発明の効果】
液体部分と気体部分が交互に配置されていて、各々の圧力を調整することで、液体マットになり、気体マットになります。
部分位置の封入圧力を変えることで、寝たきりの人にできる床ずれの予防もでき、長い時間寝ていても快適に過ごせます。
【図面の簡単な説明】
【図  １】外ケースを外して液体容器と気体容器を組み立てた図
【図  ２】外ケースを外して液体容器と気体容器を組み立てた図
【図  ３】液体容器と気体容器き組み立て形状図
【図  ４】液体容器と気体容器の組み立て形状図
【図  ５】液体容器と気体容器の組み立て形状図
【図  ６】本発明品の外観で内部点線表示傾斜図
【図１】
2004321742.tif 000003
【図２】
2004321742.tif 000004
【図３】
2004321742.tif 000005
【図４】
2004321742.tif 000006
【図５】
2004321742.tif 000007
【図６】
2004321742.tif 000008
(57)【要約】【目的】着脱容易にして且つ充分な通電機能を有する遊戯台の着脱蝶番を提供すること。【構成】端子接続部を設けた鋼板製固定金具２に固持された金属製支持軸１を同じく端子接続部を設けた鋼板製保持金具６の支持軸収容凹部にスプリング力によって押し圧力の働く勾配面８によって強く押し付け把握することによって通電接触性に優れた遊戯台の通電用着脱蝶番を構成する。【選択図】    図１
2004321741.tif 000002
【特許請求の範囲】
【請求項１】
金属製支持軸（１）を固持し且つ一部に端子接続部（３Ａ）を設けた鋼板製固定金具（２）と、先端に案内開先部（４）と支持軸収容凹部（５）を備え且つ一部に端子接続部（３Ｂ）を設けた鋼板製保持金具（６）と、同保持金具に滑動保持され先端に案内傾斜面（７）と押付け勾配面（８）を備え且つ後方の曲げ突起（９）によって前方に押し圧力がはたらくようにセットされたスプリング（１０）を保持する鋼板製滑動子（１１）とで構成される遊戯台の通電用着脱蝶番。
【発明の詳細な説明】
【０００１】
【発明の属する技術分野】
本発明はパチンコ球を使用する遊戯台に於いて、前面扉等を保持する蝶番に通電機能を持たせる構造に関わる技術に関する。
【０００２】
【従来の技術】
従来のパチンコ遊戯台の前面扉等の取り付け蝶番の多くは上下蝶番の支持軸を上下方向に抜き差しして前面扉の脱着を行なう構成の差し込み蝶番が使用されており、又前面扉等の電飾用の電力供給はケーブルによって行なわれている。
（従来の実施例として、特許番号２６３１８７２、実用新案登録番号３０６６３０１、等参照。）
【０００３】
【発明が解決しようとする課題】
近年前面扉等の電飾内容が複雑になるに従って使用する電線の本数も多数になってきている。そのため遊戯台組み立て作業におけるそれら電線の接続作業も手間のかかるものと成っている。そこで電飾内容の切り替え信号を本体側と前面扉側に取り付けた電子回路部品により無線で送受信させて動作させる方法が考案されているがその場合でも電源供給はケーブルによらねばならない。そこで本体と前面扉との唯一の接点である着脱蝶番部を通電用に利用すれば組み立て作業時にいちいちケーブル接続作業をしなくても済むようになるが、  前述のような従来の支持軸を上下方向に抜き差しして脱着を行なう蝶番ではその着脱作業を容易ならしめる為にその嵌合部はガタツキが大きく通電に使用すると接触不良を起こす可能性がある。
【０００４】
【課題を解決するための手段】
本発明では前記の様な問題点を解決する為に、通電性の良い鋼材を使用し且つ通電上確実な接触力を有する着脱蝶番を構成してこの解決をはかる。
【０００５】
【発明実施の形態】
本発明の実施の形態を示す様子を図面を参照にして説明する。
図１に於いて、金属製支持軸１を固持した鋼板製固定金具２は遊戯台の非電導素材製の外枠１２に取り付けてあり、一方同じく非電導素材製の前面扉１３には右方先端に案内開先部４と支持軸収容凹部５を設けた鋼板製保持金具６が取り付けられており、同金具は又内側に鋼板製滑動子１１を滑動保持出来る構造になっている、鋼板製滑動子１１は又右方先端に案内傾斜面７と押付け勾配面８を備え左方にはスプリング１０を収容して鋼板製保持金具６の曲げ突起９との間で右方への押し圧力が働くように取り付けてある。  尚鋼板製固定金具２と鋼板製保持金具６にはそれぞれケーブル端子接続部３Ａと３Ｂが設けてある。
図２は図１のＡ−Ａ矢視図であり鋼板製滑動子１１を案内保持する滑動案内部１７の構造をしめす。
又図３は本発明品の使用例を示すもので前面扉１３に設けた電飾ディスプレイ１６Ａ，１６Ｂ，１６Ｃの作動切り替えを行なう電波信号の受信機能を有する電子回路を内蔵する作動切替部１５の電源入力部と本発明による着脱蝶番１９Ａ，１９Ｂの各端子接続部３Ｂとをケーブルでつないだ場合と、受皿扉１４に設けられた操作ハンドル１８の操作信号を電波発信する機能を有する電子回路を内蔵する操作信号発信部２１の電源入力部と本発明による着脱蝶番１９Ｃ，１９Ｄの各端子接続部３Ｂとをケーブルで繋いだものをしめす。
【０００６】
【発明実施の効果】
以上のように構成した本発明の図１の実施例に於いて、鋼板製固定金具２に固持された金属製支持軸１は鋼板製保持金具６の支持軸収容凹部５に納まって、スプリング１０の押し圧力が働く鋼板製滑動子１１の先端の押付け勾配面８のクサビ効果によってしっかりと把握されている。従ってその状態で端子接続部３Ａに流れた電気は鋼板製固定金具２に固持された金属製支持軸１を通じて支持軸収容凹部５に於いて鋼板製保持金具６に伝わり端子接続部３Ｂに流れる、その間の接触圧力は通常遊戯台の前面扉の電飾に使用される電力を通電させるには充分であり従来の差し込み着脱式蝶番におけるような接触不良が懸念されることはない。尚本発明品の着脱蝶番を取り付けた前面扉を取り外す際は鋼板製滑動子１１の案内傾斜面７を矢印２２の方向に押し下げて開口すれば前面扉１３は仮想線図の方向に取り外すことが出来る、装着の際はその逆方向に押し込めば案内傾斜面７が同じく矢印２２の方向に押し下げられて支持軸収容凹部に収容され装着されることになる。
そして図３のように取り付けられた本発明品の使用例によれば先ず前面扉１３に設けられた電飾ディスプレイの作動切替部１５に本発明の着脱蝶番１９Ａ，１９Ｂを通じて本体より電源が通電されることにより本体側の切り替え電波信号発信部よりの切り替え信号を受けて電飾ディスプレイを作動させることが出来る。又下の受皿扉１４の操作信号発信部２１にも同様に本発明の着脱蝶番１９Ｃ，１９Ｄを通じて電源が供給されることにより操作ハンドルの操作信号が操作信号発信部２１より本体側に電波発信される事になり、そしてそれらの機能を作動させる事が本体と直接ケーブルを接続すること無く可能になる。    従って遊戯台を組み立てる時に本体と前面扉や受皿扉との間のケーブル接続作業も不要となる。
【図面の簡単な説明】
【図１】本発明の実施例の断面図である。
【図２】本発明の実施例図１のＡ−Ａ断面図である。
【図３】本発明品の取り付け実施例の正面図である。
【符号の説明】
１、          金属製支持軸
２、          鋼板製固定金具
３Ａ、３Ｂ    端子接続部
４、          案内開先部
５、          支持軸収容凹部
６、          鋼板製保持金具
７、          案内傾斜面
８、          押付け勾配面
９、          曲げ突起
１０、        スプリング
１１、        鋼板製滑動子
１２、        外枠
１３、        前面扉
１４、        受皿扉
１５、        作動切替部
１６Ａ、１６Ｂ，１６Ｃ  電飾ディスプレイ
１７、        滑動案内部
１８、        操作ハンドル
１９Ａ，１９Ｂ，１９Ｃ，１９Ｄ  着脱蝶番
２０、        遊戯台本体
２１、        操作信号発信部
２２          矢印
【図１】
2004321741.tif 000003
【図２】
2004321741.tif 000004
【図３】
2004321741.tif 000005
(57)【要約】【課題】粉末状の遠赤外線放射物質を人体への装着を容易とするとともに、熱を加えつづけることを容易とし、健康に多大の効果をもたらす。【解決手段】粉末状にした遠赤外線放射物質を従来の使い捨てカイロに混入する。上述の内容により人体への装着が容易となります。またカイロ自体の発生する熱によって遠赤外線放射物質に熱を加えつづけることが可能となり、放射する電磁波を更に強め、人体の健康に多大の効果を発揮するものである。更に使い捨てカイロの温度が４０度以下にならないように成分の分量を注意するとともに、できるだけ遠赤外線放射物質を多量にすることで更なる効果を生み出す。【選択図】  なし【特許請求の範囲】
【請求項１】
粒子状か粉末状の遠赤外線放射物質（トルマリン石、天照石、セラミック、花崗岩、プラチナコロイド等）を従来の使い捨てカイロに混入したものである。
【発明の詳細な説明】
【０００１】
【発明の属する技術分野】
遠赤外線放射物質の中でもトルマリン石、天照石、花崗岩、セラミック等は常時４〜１４ミクロンの電磁波を放射しております。それは育成光線とよばれ人体に当てると健康回復に多大の効果があります。
本発明は、その粉末状の遠赤外線放射物質を従来の使い捨てカイロに混入したものである。
それによって遠赤外線放射物質を皮膚の表面に直接当てることが容易となり、またカイロ自体が発生する熱によって遠赤外線放射物質の放射する電磁波が更に強められ、人体の健康回復により一層の効果を発揮することができます。
【０００２】
【従来の技術】
粉末状あるいは粒子状の遠赤外線放射物質を皮膚の表面に直接当てる場合、布に包んだり入り込んだりした状態で、貼り付けたり巻きつけたりして容易ではなかった。
又、遠赤外線放射物質に熱を加え続けることは外部より熱源を用意しなければならず不便であった。
【０００３】
【発明の実施の形態】
本発明は粉末状にした遠赤外線放射物質を従来の使い捨てカイロの成分と混合するものである。それぞれの混合する量は使い捨てカイロの発生する熱の温度が４０度以下にならず、より健康への効果を高めるために遠赤外線放射物質をできるだけ多量にすることである。尚、人体の健康にとって適温は４０度であります。
【０００４】
【発明の効果】
このようにすれば粉末状の遠赤外線放射物質の人体への装着を容易とし、かつカイロの発生する熱により遠赤外線放射物質に熱を加えつづけることが可能となり、それによって放射する電磁波を更に強め、人体の健康に多大な効果を発揮するものである。
また、遠赤外線放射物質混入の使い捨てカイロは健康グッズとして季節を問わず１年を通して需要が見込まれるようになります。
(57)【要約】【課題】清潔感と保温性に優れた風呂椅子用のマットを提供する。【解決手段】適度の柔軟性および弾力性を有する素材にてマット本体を形成し、該マット本体中央に水抜き孔を設けたことを特長とする。【選択図】      図１
2004321746.tif 000002
【特許請求の範囲】
【請求項１】
適度の柔軟性および弾力性を有する素材にてマット本体を形成し、該マット本体中央に水抜き孔を設けたことを特長とする風呂椅子用マット。
【請求項２】
マット適所にスリットを設けてなる請求項１記載の風呂椅子用マット。
【発明の詳細な説明】
【０００１】
【発明の属する技術分野】
この発明は、風呂椅子座面に載置して用いるマットに関する。
【０００２】
【従来の技術】
従来より、浴室床面に敷いて使う風呂マットは多用されているが、本発明にて示すように風呂椅子に載置して用いるマットは見当たらない。
【０００３】
【発明が解決しようとする課題】
従来より、入浴時には浴室床面に風呂用の椅子を置き、これに腰掛けて身体を洗っている。この風呂用椅子は通常、複数人が使用することが多く、素肌に座面が触れるため他人が使用したあとは座面に湯をかけるなどして使うことが多い。あるいは座面にタオルを敷いて使うこともある。しかし衛生的とは言えず、人によっては不潔感を感じるものである。また、冬期などでは座面が冷えており、湯を座面にかけて暖める必要があった。
本発明は、以上のような風呂用椅子に関わる課題を解決するために発明されたもので、風呂用椅子の衛生的使用と保温の双方に有効なる新規な物品を提供することを目的としたものである。
【０００４】
【課題を解決するための手段】
課題を解決する手段として本発明は、マット本体に水抜き孔を設けてその主要部を構成した。
すなわち、適度の柔軟性および弾力性を有する素材にてマット本体を形成し、該マット本体中央に水抜き孔を設ける。本発明は以上の構成よりなる風呂椅子用マットである。
【０００５】
【実施例】
以下、本発明の実施例について説明する。
図において、１は適度の柔軟性と弾力性および保温性を有する発泡ポリエチレン製のマット本体で、その上面にはマット本体と同一サイズの薄アルミシート製の被覆材２が固着される。３はポリ塩化ビニール発泡材よりなるクッション材で、マット本体と同一サイズであり、マット本体下面に固着される。
このクッション材はメッシュ状であり、適度の弾力性を有するとともに摩擦係数が大きく風呂椅子座面に対するマットのずれを防止する。
４はスリットで、中央のスリットは被覆材とマット本体のみを切断し、左右のスリットはマット本体とクッション材のみを切断している。従って、図５にて示すように本品を折り畳むことができる。５は水抜き孔で、被覆材およびマット本体の中央に設けられる孔で、クッション材は水抜き孔を有さない。
本発明を使用するには、クッション材を下にして風呂椅子座面にのせる。
そしてこのマット本体上に腰掛けて使用する。マット本体上面にはアルミ被覆材があり、かつ中央には水抜き孔があるので水はけがよく、清潔に使用することができる。
【０００６】
マット下面にはメッシュ状のポリ塩化ビニール発泡材が固着されているので、風呂椅子に対して摩擦力が大きく、マットのずれを防止する。
また、立ち上がったときにマットが人体に付着して持ち上がることがない。
本例では、３本のスリットを設けたので、折り畳んで手軽に携帯することができる。そしてこのマットを各自専用に所持して使用することで、衛生的不快感はなくなり、自宅や公衆浴場等でも有効に利用することができる。
なお、スリットなしでも使用効果は同じである。また、本例ではクッション材には水抜き孔を設けていないが、メッシュ状のため水抜きが可能である。
なお、本例で使用したクッション材は、菱形の頂部が互いに一体に連結した形状で、この菱形部分間の空隙もまた菱形となっている。
従って、座面にのせて腰掛けるとクッション材は発泡材のため体重で少し押しつぶされるが、立ち上がったとき本マットが皮膚にくっついて持ち上がろうとすると、菱形間の空隙があたかも吸盤のように作用して、人体にマットがくっついて持ち上がるのを防止することができる。使用時はこのマットおよびクッション材は水や湯に濡れており、風呂椅子座面とマット間に水膜ができるため、この作用がより効果的となる。
以上説明したように、本発明により清潔感と保温性に優れた風呂椅子用マットを得ることができる。
【０００７】
【発明の効果】
本発明によれば、柔軟性および弾力性を有する素材にてマット本体を形成し、マット本体に水抜き孔を設けたので、風呂椅子座面に本品を載置して使用することにより、他人が使った風呂椅子座面に使用者の身体が直に触れることがなく、衛生的に使用することができる。また、マット本体を発泡素材にて製作することにより、座りごこちがよく保温性も良好なる有用な物品を提供することができる。
【図面の簡単な説明】
【図１】本発明の平面図
【図２】本発明の正面図
【図３】本発明の部分拡大図（正面視）
【図４】本発明の底面図
【図５】本発明の折り畳み機能説明図
【図６】本発明の載置状態説明図
【図７】本発明の使用状態説明図
【符号の説明】
１  マット本体
２  被覆材
３  クッション材
４  スリット
５  水抜き孔
６  風呂椅子
【図１】
2004321746.tif 000003
【図２】
2004321746.tif 000004
【図３】
2004321746.tif 000005
【図４】
2004321746.tif 000006
【図５】
2004321746.tif 000007
【図６】
2004321746.tif 000008
【図７】
2004321746.tif 000009
(57)【要約】【課題】従来、入院した場合、特に体が自由にきかない場合、ベットの枕元にメガネや体温計、ティッシュペーパー等を置いていたが、ベットを起こしたり、横に傾斜した場合にこれらの物がすべり落ちる不具合があった。【解決手段】従来のウオールポケットの両端に掛止具を左右相対して設けて、ベットの支柱にひもを介して固定し、ウオールポケットの下部にティッシュペーパーの収納袋を敷布団の上に水平に置けるように取り付け、ポケットにメガネや体温計等を入れ、ティッシュペーパーはウオールポケットに取り付けた収納袋に入れて敷布団上に水平に置き、メガネや体温計等の小物がすべり落ちない様に構成した。【選択図】    図１
2004321749.tif 000002
【特許請求の範囲】
【請求項１】
ベットに吊り下げ可能なウオールポケットの左右両端部の任意の位置に、左右対称にベットに固定可能な掛止具を複数設け、ウオールポケットの下方にティッシュペーパーの収納袋を取付けたことを特徴とするベット用ウオールポケット。
【請求項２】
ベットに吊り下げ可能なウオールポケットの左右両端部に、ベットに固定可能な掛止具がループ、ハトメ、ひも体を用いた請求項１に記載のベット用ウオールポケット。
【発明の詳細な説明】
【０００１】
【発明の属する技術分野】
本発明は、入院時、安静を保つ場合、手術後や骨折の場合、病院のベットに掛止して使用するウオールポケットに関するものである。
【０００２】
【従来の技術】
従来、入院患者が手術後や骨折などで体の自由がきかないときベット上にメガネや体温計、ティッシュペーパー等いろいろとベットの枕元においていたが、ベットを起こしたり、横に傾斜した場合、ベット上に置いてあるものがすべり落ちる不具合を生じていた。
なおこの出願の発明に関連する先行技術文献情報としては、例えば特許文献１が知られている。
【０００３】
【特許文献１】
特開平０９−２７１４３６号公報
【０００４】
【発明が解決しようとする課題】
しかし従来技術では、ベットがたて、横に傾斜する場合、ストッパーになるものがなく物が落ちて問題を生じていた。
そこで本発明は、上述した従来の欠点を除去してウオールポケットをベットの枕元のパイプに吊り下げ、ウオールポケットの両端の掛止具にひもを介してベットに固定出来るウオールポケットを提供することを目的とする。
【０００５】
【課題を解決するための手段】
本発明は、吊り下げ可能なウオールポケットの両端部に掛止具を設け、ひもを介してベットの左右の支柱に結んで固定する。ウオールポケットのいくつかに仕切られた小ポケットに、メガネ、体温計、小物等、必要な小物を入れ、ウオールポケットの下端にはティッシュペーパーの収納袋が取り付けてある。ティッシュペーパーの収納袋にティッシュペーパーの箱を入れ、敷布団の上に水平に置けるように取付けたことを特徴とする。
すなわち第１にはウオールポケットであって、吊り下げ可能なウオールポケットであってウオールポケットの左右にひもが挿通可能な掛止具を適宜の位置に任意数設け、ウオールポケット本体の下部にティッシュペーパーの収納袋がベットの敷布団の上に水平に置くことが出来る様に、ティッシュペーパーの収納袋が取り付けてあることを特徴とする。
また第２には、上記の構成のウオールポケットであって、掛止具がハトメ、ループ、ひも、ベルト通し、であることを特徴とする。
【０００６】
【発明の実施の形態】
以下、本発明の実施の形態について図１を用いて説明する。
吊り下げ可能なウオールポケット（１）の両端部に掛止具（３）を設け、ウオールポケット（１）の下方部にティッシュペーパー収納袋（５）にティッュペーパーの箱を収納して、ティッシュペーパーが敷布団の上に水平に置くことが出来るように構成されている。
このウオールポケット（１）の上端部に吊り具（４）を設け、ウオールポケット（１）の下端部にはティッシュペーパーの箱を収納出来る収納袋（５）の側面がウオールポケット（１）に取り付けてある。
上記吊り具（４）の長さは、ベットのパイプに結びつけられる長さを有している。また両端の掛止具（３）はループ状を呈している。その内径はひもが挿通可能な大きさを有し、上記ウオールポケット（１）の吊り具（４）と掛止具（３）はウオールポケット（１）をベットに固定する手段として機能する。掛止具（３）に使用するひもは別途用意して使用する。
【０００７】
本発明は以上のように構成されている。これを使用する際には、上端の吊り具（４）をベットの枕元のパイプに固定し、左右両端の掛止具（３）にひもを挿通してベットの支柱に適宜結んで固定する。メガネ、体温計等必要な小物はポケット（２）に収納する。ティッシュペーパー収納袋（５）にティッシュペーパーの箱を入れ、形を整えて敷布団の上に水平に置く。
ウオールポケット（１）はベットに吊り下げて使用するものであるため、ベットの寸法に合せてサイズを設定する。
【０００８】
以上、１実施例を以って説明したが、ウオールポケットのデザイン、大きさ、巾、丈、材質、掛止具の取付方法、掛止具の数、取付位置、形状、材質の組合せ、吊り下げ方法などは、本発明の要旨の範囲内において自由に変更出来るものである。ティッシュペーパー収納袋のデザインは自由に定めてよいし、取付方法は縫合、接着、面ファスナー、ホック、ヒモでもよいもので、着脱自在の構成にしてもよい。ウオールポケットの材質は布、シート状合成樹脂、メッシュ、皮等を用いてもよい。それぞれの材質の組合せ等も自由である。ウオールポケットの端部の始末は、パイピング、バイヤステープ、折曲げ等で始末する。ポケットのデザイン、数、取付方法等は自由である。
【０００９】
【発明の効果】
以上説明したように、本発明のウオールポケットを病院や自宅のベットで使用すれば、ベットが傾斜してもメガネや体温計等の小物類がすべり落ちる心配がない。病人の枕元もすっきりと整理出来、特に手術後や骨折等で体の自由がきかない人々には非常に便利に使用出来るものである。
【図面の簡単な説明】
【図１】本発明の斜視図である。
【図２】本発明の掛止具がハトメである斜視図である。
【図３】本発明の掛止具がひもである斜視図である。
【図４】本発明の使用状態を示す斜視図である。
【符号の説明】
１、ウオールポケット            ２、ポケット
３、掛止具                      ４、吊り具
５、ティッシュペーパー収納袋    ６、面ファスナーメス面
７、面ファスナーオス面          ８、ハトメ
９、ベット                      １０、敷布団
【図１】
2004321749.tif 000003
【図２】
2004321749.tif 000004
【図３】
2004321749.tif 000005
【図４】
2004321749.tif 000006